(57)【要約】【課題】ヒータを有するダンパ装置の組み立て性を向上する。【解決手段】開口部Ｏを有するフレーム２と、開口部Ｏを開閉するバッフル３と、バッフル３の駆動源１３と、駆動源１３が収容されるケース１２と、駆動源１３と接続される駆動用コネクタ２２と、フレーム２に取り付けられるヒータ７と、ヒータ７から引き出されるヒータ線７ａが接続されるヒータ用コネクタ２０と、を備え、ヒータ用コネクタ２０と駆動用コネクタ２２とが別々に形成されているダンパ装置１。【選択図】図２
2020193745.tif 000002
【特許請求の範囲】
【請求項１】
開口部を有するフレームと、
前記開口部を開閉するバッフルと、
前記バッフルの駆動源と、
前記駆動源が収容されるケースと、
前記駆動源と接続される駆動用コネクタと、
前記フレームに取り付けられるヒータと、
前記ヒータから引き出されるヒータ線が接続されるヒータ用コネクタと、
を備え、
前記ヒータ用コネクタと前記駆動用コネクタとが別々に形成されていることを特徴とするダンパ装置。
【請求項２】
請求項１に記載のダンパ装置において、
前記ヒータ用コネクタは、前記フレームに設けられた保持部に保持されていることを特徴とするダンパ装置。
【請求項３】
請求項２に記載のダンパ装置において、
前記保持部は、前記ヒータ線の前記保持部への入口と前記ヒータ用コネクタとの間の位置に、前記ヒータ線を撓んだ状態で配置する配線スペースを有することを特徴とするダンパ装置。
【請求項４】
請求項３に記載のダンパ装置において、
前記入口に、前記ヒータ線を係止する第１係止部が設けられ、
前記配線スペースに、前記ヒータ線を係止する第２係止部が設けられ、
前記ヒータ用コネクタに対して固定される位置に、前記ヒータ線を係止する第３係止部が設けられていることを特徴とするダンパ装置。
【請求項５】
請求項４に記載のダンパ装置において、
前記第２係止部は、前記配線スペースに設けられたリブの一部を切り欠いて構成されていることを特徴とするダンパ装置。
【請求項６】
請求項４または５に記載のダンパ装置において、
前記保持部は、開口領域を有し、
前記ヒータ用コネクタは、前記開口領域から挿入することで前記保持部に保持されるよう構成され、
前記第１係止部は、前記開口領域の開口方向に開口する挟持部であることを特徴とするダンパ装置。
【請求項７】
請求項２から５のいずれか１項に記載のダンパ装置において、
前記保持部は、開口領域を有し、
前記ヒータ用コネクタは、前記開口領域から挿入することで前記保持部に保持されるよう構成されていることを特徴とするダンパ装置。
【請求項８】
請求項２から７のいずれか１項に記載のダンパ装置において、
前記ヒータ用コネクタは、突起を有し、
前記突起は、前記フレームと当接して、前記ヒータ用コネクタの前記保持部に対する位置決めをすることを特徴とするダンパ装置。
【請求項９】
請求項８に記載のダンパ装置において、
前記突起は、前記ヒータ用コネクタに対応するコネクタの挿し込み方向に突出していることを特徴とするダンパ装置。
【請求項１０】
請求項８または９に記載のダンパ装置において、
前記保持部には、前記突起と対向する位置に、前記突起が当接される受け部を有することを特徴とするダンパ装置。
【請求項１１】
請求項１０に記載のダンパ装置において、
前記保持部に前記ヒータ用コネクタを保持させる際に、前記保持部に対して前記ヒータ用コネクタを前記突起の突出方向と交差する移動方向に移動させて保持させる構成であり、
前記突起は、前記突出方向の先端部がテーパー形状となっており、
前記受け部は、前記保持部に対して前記ヒータ用コネクタを前記移動方向に移動させる際に前記先端部が接触する接触領域に、前記先端部と接触して前記先端部の移動をガイドする斜面が形成されていることを特徴とするダンパ装置。
【請求項１２】
請求項１から１１のいずれか１項に記載のダンパ装置において、
前記ヒータ用コネクタと接続される基板を備え、
前記ヒータ線は、前記基板を介して前記ヒータ用コネクタと接続され、
前記ヒータ用コネクタと前記ヒータ線は、前記基板の同じ側の面で前記基板に対して接続されていることを特徴とするダンパ装置。
【請求項１３】
請求項１２に記載のダンパ装置において、
前記基板は、前記ヒータ線を係止する係止部を有し、
前記係止部は、前記基板の一部が外周側に向かって開口する溝によって形成され、
前記溝は、前記ヒータ線を保持するヒータ線保持部と、前記ヒータ線保持部まで前記ヒータ線を移動させることが可能なヒータ線移動経路と、を有し、
前記ヒータ線は、前記基板の一方側の面から他方側の面まで貫通した状態で前記ヒータ線保持部により保持されていることを特徴とするダンパ装置。
【請求項１４】
請求項１３に記載のダンパ装置において、
前記ヒータ線は、前記一方側の面に沿って配線される配線領域を有し、
前記ヒータ線の前記基板に対する接続位置は、前記基板の厚さ方向から見た場合に、前記配線領域と重ならない位置であることを特徴とするダンパ装置。
【請求項１５】
請求項１２から１４のいずれか１項に記載のダンパ装置において、
前記ヒータ線は、前記基板に対して複数個所で接続しており、
前記基板は、前記ヒータ線の前記基板に対する接続位置同士の間にスリットが形成されていることを特徴とするダンパ装置。
【発明の詳細な説明】
【技術分野】
【０００１】
本発明は、ダンパ装置に関する。
【背景技術】
【０００２】
従来から、様々なダンパ装置が使用されている。このようなダンパ装置のうち、ヒータを有するダンパ装置がある。ヒータを有するダンパ装置は、駆動源用のリード線の他にヒータ用のヒータ線を有する。例えば、特許文献１には、モータ用リード線とヒータ用リード線とを外側に排出する構成のダンパ装置が開示されている。
【先行技術文献】
【特許文献】
【０００３】
【特許文献１】特開２０１５−２１００６８号公報
【発明の概要】
【発明が解決しようとする課題】
【０００４】
しかしながら、特許文献１に開示されるダンパ装置のように、モータ用リード線とヒータ用リード線とを外側に排出する構成とすると、ヒータ用リード線を外側から引っ張った際にヒータに負荷がかかってしまう場合があるので、ヒータ用リード線の引き回しが難しくなることで、組み立て性が悪くなる場合がある。このように、従来のヒータを有するダンパ装置は、組み立て性が悪い場合がある。そこで、本発明は、ヒータを有するダンパ装置において組み立て性を向上することを目的とする。
【課題を解決するための手段】
【０００５】
本発明におけるダンパ装置は、開口部を有するフレームと、前記開口部を開閉するバッフルと、前記バッフルの駆動源と、前記駆動源が収容されるケースと、前記駆動源と接続される駆動用コネクタと、前記フレームに取り付けられるヒータと、前記ヒータから引き出されるヒータ線が接続されるヒータ用コネクタと、を備え、前記ヒータ用コネクタと前記駆動用コネクタとが別々に形成されていることを特徴とする。
【０００６】
本態様によれば、駆動源と接続される駆動用コネクタと、ヒータから引き出されるヒータ線が接続されるヒータ用コネクタと、が別々に形成されている。すなわち、駆動源用のリード線およびヒータ用のヒータ線を外側に出さずにコネクタとして設けることで、駆動源用のリード線およびヒータ用のヒータ線が引っ張られて駆動源やヒータに負荷がかかることを抑制でき、複雑な引き回しをせずに済むので組み立て性を向上することができる。さらに、ヒータ用コネクタと駆動用コネクタとを別々に形成することで、駆動源用のリード線を考慮してヒータ用のヒータ線を引き回すことや、ヒータ用のヒータ線を考慮して駆動源用のリード線を引き回すことなどを避けることができ、特に効果的に組み立て性を向上することができる。
【０００７】
本発明のダンパ装置においては、前記ヒータ用コネクタは、前記フレームに設けられた保持部に保持されていることが好ましい。ヒータ用コネクタをフレームに配置することで、ヒータ線が引っ張られてヒータに負荷がかかることを効果的に抑制できるためである。
【０００８】
本発明のダンパ装置においては、前記保持部は、前記ヒータ線の前記保持部への入口と前記ヒータ用コネクタとの間の位置に、前記ヒータ線を撓んだ状態で配置する配線スペースを有することが好ましい。ヒータ線を撓んだ状態で配置する配線スペースを有することで、ヒータ線の長さを長くでき、ヒータ用コネクタを保持部に保持させる際などにおいて組み立て性を向上できるとともに、ヒータ用コネクタが保持部に保持された後において該ヒータ線が邪魔になることを抑制できるためである。
【０００９】
本発明のダンパ装置は、前記入口に、前記ヒータ線を係止する第１係止部が設けられ、前記配線スペースに、前記ヒータ線を係止する第２係止部が設けられ、前記ヒータ用コネクタに対して固定される位置に、前記ヒータ線を係止する第３係止部が設けられていることが好ましい。３つの係止部でヒータ線を確りと係止し固定することで、ヒータ線が引っ張られてヒータに負荷がかかることを効果的に抑制できるためである。
【００１０】
本発明のダンパ装置においては、前記第２係止部は、前記配線スペースに設けられたリブの一部を切り欠いて構成されていることが好ましい。第２係止部を簡単に形成できるためである。
【００１１】
本発明のダンパ装置においては、前記保持部は、開口領域を有し、前記ヒータ用コネクタは、前記開口領域から挿入することで前記保持部に保持されるよう構成され、前記第１係止部は、前記開口領域の開口方向に開口する挟持部であることが好ましい。このような構成とすることで、第１係止部を簡単に形成できるとともに、ヒータ用コネクタを保持部に保持させることが容易となるためである。
【００１２】
本発明のダンパ装置においては、前記保持部は、開口領域を有し、前記ヒータ用コネクタは、前記開口領域から挿入することで前記保持部に保持されるよう構成されていることが好ましい。このような構成とすることで、ヒータ用コネクタを保持部に保持させることが容易となるためである。
【００１３】
本発明のダンパ装置においては、前記ヒータ用コネクタは、突起を有し、前記突起は、前記フレームと当接して、前記ヒータ用コネクタの前記保持部に対する位置決めをすることが好ましい。簡単な構成でヒータ用コネクタを保持部に確りと固定できるためである。
【００１４】
本発明のダンパ装置においては、前記突起は、前記ヒータ用コネクタに対応するコネクタの挿し込み方向に突出していることが好ましい。ヒータ用コネクタは突起によりコネクタの挿し込み方向にフレームに対して当接しているので、ヒータ用コネクタに対応するコネクタを挿し込む際にヒータ用コネクタがフレームに対して移動することを簡単な構成で抑制できるためである。
【００１５】
本発明のダンパ装置においては、前記保持部には、前記突起と対向する位置に、前記突起が当接される受け部を有することが好ましい。突起と受け部という簡単な構成でヒータ用コネクタを保持部に確りと固定できるためである。
【００１６】
本発明のダンパ装置においては、前記保持部に前記ヒータ用コネクタを保持させる際に、前記保持部に対して前記ヒータ用コネクタを前記突起の突出方向と交差する移動方向に移動させて保持させる構成であり、前記突起は、前記突出方向の先端部がテーパー形状となっており、前記受け部は、前記保持部に対して前記ヒータ用コネクタを前記移動方向に移動させる際に前記先端部が接触する接触領域に、前記先端部と接触して前記先端部の移動をガイドする斜面が形成されていることが好ましい。ヒータ用コネクタを保持部に保持させる際、突起と受け部とが引っ掛かることなく容易に所望の保持位置まで、ヒータ用コネクタを保持部に対して移動させることができるためである。
【００１７】
本発明のダンパ装置は、前記ヒータ用コネクタと接続される基板を備え、前記ヒータ線は、前記基板を介して前記ヒータ用コネクタと接続され、前記ヒータ用コネクタと前記ヒータ線は、前記基板の同じ側の面で前記基板に対して接続されていることが好ましい。ヒータ用コネクタとヒータ線とが基板の同じ側の面で接続されていることで、基板の構成を簡略化できるためである。
【００１８】
本発明のダンパ装置においては、前記基板は、前記ヒータ線を係止する係止部を有し、前記係止部は、前記基板の一部が外周側に向かって開口する溝によって形成され、前記溝は、前記ヒータ線を保持するヒータ線保持部と、前記ヒータ線保持部まで前記ヒータ線を移動させることが可能なヒータ線移動経路と、を有し、前記ヒータ線は、前記基板の一方側の面から他方側の面まで貫通した状態で前記ヒータ線保持部により保持されていることが好ましい。ヒータ線が基板の一方側の面から他方側の面まで貫通した状態でヒータ線保持部により保持されていることで、ヒータ線の基板に対する保持位置がずれることなどを抑制できるためである。
【００１９】
本発明のダンパ装置においては、前記ヒータ線は、前記一方側の面に沿って配線される配線領域を有し、前記ヒータ線の前記基板に対する接続位置は、前記基板の厚さ方向から見た場合に、前記配線領域と重ならない位置であることが好ましい。基板の一方側の面に沿って配線されるヒータ線の配線領域が、該基板の一方側の面上に形成される導体の配線などと、干渉することを抑制できるためである。
【００２０】
本発明のダンパ装置においては、前記ヒータ線は、前記基板に対して複数個所で接続しており、前記基板は、前記ヒータ線の前記基板に対する接続位置同士の間にスリットが形成されていることが好ましい。接続位置同士などが電気的に接続してしまうことを、スリットが形成されることで効果的に抑制できるためである。
【発明の効果】
【００２１】
本発明のダンパ装置は、ヒータを有するダンパ装置の組み立て性を向上することができる。
【図面の簡単な説明】
【００２２】
【図１】本発明の一実施例に係るダンパ装置を備える装置の一例を表す概略斜視図である。
【図２】本発明の一実施例に係るダンパ装置を表す概略斜視図である。
【図３】本発明の一実施例に係るダンパ装置を表す概略斜視図であって、図２とは異なる方向から見た図である。
【図４】本発明の一実施例に係るダンパ装置を表す概略斜視図であって、ケース及びフレームを透視して表した透視図である。
【図５】本発明の一実施例に係るダンパ装置をケース及びケースに収容される構成部材を省略して表した概略斜視図である。
【図６】本発明の一実施例に係るダンパ装置をフレーム及びフレームに取り付けられる構成部材を省略して表した概略斜視図である。
【図７】本発明の一実施例に係るダンパ装置を表す概略斜視図であって、ケースを省略して表した図である。
【図８】本発明の一実施例に係るダンパ装置を表す概略斜視図であって、ヒータ用コネクタユニットをフレームに取り付ける直前の様子を表す概略斜視図である。
【図９】本発明の一実施例に係るダンパ装置におけるヒータ用コネクタユニットを表す概略斜視図である。
【図１０】本発明の一実施例に係るダンパ装置におけるヒータ用コネクタユニットを表す概略斜視図であって、図９とは異なる方向から見た図である。
【図１１】本発明の一実施例に係るダンパ装置における基板を表す概略斜視図である。
【図１２】本発明の一実施例に係るダンパ装置における保持部の概略斜視図である。
【発明を実施するための形態】
【００２３】
以下に、本発明の一実施例に係るダンパ装置１について説明する。  
最初に、本実施例のダンパ装置１の使用例について説明する。  
図１は、本実施例のダンパ装置１を備える装置の一例である冷蔵庫１０１を表す概略図（一部透視図）である。
【００２４】
（ダンパ装置１の使用例）  
図１で表されるように、本実施例のダンパ装置１は、冷蔵庫１０１などで使用可能である。本実施例のダンパ装置１を備える図１で表される冷蔵庫１０１は、冷蔵室１０２と、冷凍室１０３と、野菜室１０４と、を備えている。冷蔵庫１０１は、冷却器１０５で生成された冷気をダンパ装置１０７（送風機）を開状態にすることで気流ＡＦにして送出し、何れも開閉板を開閉可能な開閉板式のダンパ装置１０９（本実施例のダンパ装置１）、開閉板式のダンパ装置１０６（２つのバッフルを有するダンパ装置）及び開閉板式のダンパ装置１０８（本実施例のダンパ装置１）を介して、冷蔵室１０２、冷凍室１０３及び野菜室１０４に該気流ＡＦを導入可能な構成になっている。
【００２５】
ここで、本実施例の冷蔵庫１０１は、連続使用することなどに伴って冷却器１０５に霜が付着した場合に、該霜を溶解して除去する霜取りモードを実行可能である。該霜取りモードでは、ダンパ装置１０７を閉状態にして気流ＡＦが冷蔵室１０２、冷凍室１０３及び野菜室１０４に流入しないようにして、冷却器１０５周辺を暖気で温める。
【００２６】
本実施例のダンパ装置１を備える装置は、冷蔵庫に限定されない。ただし、本実施例のダンパ装置１は、冷蔵庫において特に好ましく用いることができる。なお、本実施例のダンパ装置１を備える冷蔵庫の構成は図１で表される構成に限定されず、本発明のダンパ装置はダンパ装置１の構成（ダンパ装置１０８および１０９の構成）に限定されない（例えばダンパ装置１０６のように複数のバッフルを有していてもよい）。
【００２７】
（ダンパ装置１の実施例）  
次に、本実施例のダンパ装置１について図２から図１２を参照して詳細に説明する。
【００２８】
なお、図１、並びに、図２から図１２では、一部、構成部材が省略して表されている場合がある。  
ここで、図２から図１２において、方向Ｚは、フレーム２の開口部Ｏの開口方向であり、方向Ｘ及び方向Ｙは、各々が直交し、共に方向Ｚと直交する方向である。
【００２９】
（ダンパ装置１の概要）  
図２及び図５などで表されるように、本実施例のダンパ装置１は、矩形状の開口部Ｏが形成されたフレーム２と、フレーム２の開口部Ｏを開閉するためのバッフル３と、を備えている。また、図４などで表されるように、本実施例のダンパ装置１は、フレーム２に対してＸ方向に隣り合う位置に、バッフル３の駆動源であるステッピングモータ１３などを有する駆動部１０を収容するケース１２を備えている。フレーム２およびケース１２は樹脂製であり、図２及び図３などで表される係合部１１においてスナップフィットにより係合されている。
【００３０】
（フレーム２）  
図２から図５で表されるようにフレーム２は開口部Ｏを有するが、図２から図５は、バッフル３が開口部Ｏを閉じている状態である。図４で表されるようにバッフル３は回動軸３ａを有し、回動軸３ａを基準に回動方向Ｒに回動して開口部Ｏを開閉できる構成になっている。また、図４で表されるように、フレーム２における開口部Ｏの周囲には、ヒータ７が設けられている。そして、ヒータ７からは、ヒータ線７ａが引き出されている。
【００３１】
また、図５及び図７で表されるように、フレーム２には、ケース１２と接続される側に、ヒータ線７ａを介してヒータ７と接続されるヒータ用コネクタ２０が取り付けられる、ヒータ用コネクタ２０の保持部１９が設けられている。そして、図７で表されるように、保持部１９には、ヒータ用コネクタ２０及びヒータ線７ａと接続されるヒータ基板２３が収容されている。なお、保持部１９及びヒータ基板２３の詳細については後述する。また、フレーム２には、ステッピングモータ１３と接続される駆動用コネクタ２２の面２２ａ、２２ｂ及び２２ｃ（図６参照）と、壁部２１ａ、２１ｂ及び２１ｃにおいて接触する、駆動用コネクタ接触部２１（図５参照）が設けられている。
【００３２】
（ケース１２）  
図４及び図６で表されるように、ケース１２には駆動部１０が収容されている。駆動部１０は、ステッピングモータ１３と、ケース１２の内側においてステッピングモータ１３の回転をバッフル３に伝達するための輪列１４と、を有している。輪列１４は、図６で表されるように、モータピニオン１３ａに噛合する大径歯車を備えた１番車１５と、１番車１５の小径歯車（不図示）に噛合する大径歯車を備えた２番車１６と、２番車１６の小径歯車（不図示）に噛合する大径歯車を備えた駆動歯車１７とを有している。従って、輪列１４において、１番車１５、２番車１６および駆動歯車１７は減速輪列を構成している。また、輪列１４は、駆動歯車１７と噛合して駆動歯車１７に従動する扇形歯車１８を有している。該扇形歯車１８は、輪列１４の最終段に位置する最終歯車（出力歯車）であり、バッフル３の回動軸３ａに連結されている。
【００３３】
また、図２、図３及び図６で表されるように、ケース１２には、空間部２４が設けられている。そして、空間部２４には駆動用コネクタ２２が固定されるとともに、保持部１９に保持されたヒータ用コネクタ２０が収容される。ここで、ヒータ用コネクタ２０は、保持部１９が空間部２４に挿入されることでケース１２に対して位置決めされつつ配置される。
【００３４】
上記のように、本実施例のダンパ装置１は、開口部Ｏを有するフレーム２と、開口部Ｏを開閉するバッフル３と、バッフル３の駆動源であるステッピングモータ１３と、ステッピングモータ１３が収容されるケース１２と、ステッピングモータ１３と接続される駆動用コネクタ２２と、フレーム２に取り付けられるヒータ７と、ヒータ７から引き出されるヒータ線７ａが接続されるヒータ用コネクタ２０と、を備えているが、ヒータ用コネクタ２０と駆動用コネクタ２２とが別々に空間部２４に形成されている。
【００３５】
このように、ステッピングモータ１３と接続される駆動用コネクタ２２と、ヒータ７から引き出されるヒータ線７ａが接続されるヒータ用コネクタ２０と、が別々に形成されていること、すなわち、ステッピングモータ１３のリード線およびヒータ７用のヒータ線７ａを外側に出さずにコネクタとして設けることで、ステッピングモータ１３のリード線およびヒータ７用のヒータ線７ａが引っ張られてステッピングモータ１３やヒータ７に負荷がかかることを抑制できる。このため、このような構成とすることで、複雑な引き回しをせずに済むので組み立て性を向上することができる。さらに、ヒータ用コネクタ２０と駆動用コネクタ２２とを別々に形成することで、ステッピングモータ１３のリード線を考慮してヒータ７用のヒータ線７ａを引き回すことや、ヒータ７用のヒータ線７ａを考慮してステッピングモータ１３のリード線を引き回すことなどを避けることができ、特に効果的に組み立て性を向上することができる。
【００３６】
また、本実施例のダンパ装置１においては、ヒータ用コネクタ２０は、フレーム２に設けられた保持部１９に保持されている。このように、ヒータ用コネクタ２０をフレーム２に配置することで、ヒータ線７ａが引っ張られてヒータ７に負荷がかかることを効果的に抑制できる。
【００３７】
（ヒータ用コネクタ２０のフレーム２への取り付け）  
上記のように、ヒータ用コネクタ２０はフレーム２の保持部１９に対して取り付けられる。具体的には、図８で表されるように、ヒータ用コネクタ２０とヒータ線７ａとがヒータ基板２３に接続された状態をヒータ用コネクタユニット３０とし、該ヒータ用コネクタユニット３０を方向Ｙに沿って開口領域１９ｄから保持部１９に挿入することで、ヒータ用コネクタ２０はフレーム２の保持部１９に対して取り付けられる。詳細には、保持部１９に設けられた基板収容スペース１９ｅにヒータ基板２３が収容されるように、ヒータ用コネクタユニット３０を開口領域１９ｄの開口方向であるＹ方向に沿う方向に移動させることで、ヒータ用コネクタユニット３０は保持部１９に取り付けられる。ここで、ヒータ線７ａは、ヒータ基板２３に形成された溝１２３のヒータ線保持部１２３ｂ（図１０及び図１１参照）、保持部１９に形成されたリブ１９ｆに設けられたヒータ線係止部１９ｇ、フレーム２の壁部２ａに形成されたヒータ線係止部１９ｈ、の３ヶ所でフレーム２に係止される。
【００３８】
（ヒータ用コネクタユニット３０）  
上記のように、ヒータ用コネクタユニット３０は、ヒータ用コネクタ２０とヒータ線７ａとがヒータ基板２３に接続されることで構成されている。ここで、図９及び図１０で表されるように、ヒータ線７ａは、ヒータ基板２３の孔部２３ａに面２３ｅ側から挿入されてヒータ基板２３に電気的に接続されている。また、図９で表されるように、ヒータ用コネクタ２０は、接続部２０ｂがヒータ基板２３の孔部２３ｂに面２３ｅ側から挿入されてヒータ基板２３に電気的に接続されている。そして、図９で表されるように、孔部２３ａのうちの１つと孔部２３ｂのうちの１つ、並びに、孔部２３ａのうちの別の１つと孔部２３ｂのうちの別の１つは、夫々、ヒータ基板２３の面２３ｆ上に形成された導体の配線２３ｃで接続されている。
【００３９】
（ヒータ基板２３）  
また、図１１で表されるように、ヒータ基板２３には、方向Ｚに沿って一部が外周側に向かって開口する溝１２３が形成されている。溝１２３は、図１０などで表されるように、ヒータ線７ａを保持するヒータ線保持部１２３ｂと、溝１２３の入り口部分であってヒータ線保持部１２３ｂまでヒータ線７ａを移動させることが可能なヒータ線移動経路１２３ａと、ヒータ線保持部１２３ｂよりもさらに方向Ｚに延びるスリット１２３ｃと、を有している。２本のヒータ線７ａは、共に面２３ｆ側から面２３ｅ側に通された状態で、各々のヒータ線７ａが２カ所のヒータ線保持部１２３ｂの各々に保持され、先端が孔部２３ａに挿入されることで、ヒータ基板２３に接続及び保持される。
【００４０】
上記のように、本実施例のダンパ装置１は、ヒータ用コネクタ２０と接続されるヒータ基板２３を備えており、ヒータ線７ａは、ヒータ基板２３を介してヒータ用コネクタ２０と接続され、ヒータ用コネクタ２０とヒータ線７ａは、ヒータ基板２３の同じ側の面である面２３ｅ側からヒータ基板２３に対して接続されている。このように、ヒータ用コネクタ２０とヒータ線７ａとがヒータ基板２３の同じ側の面で接続されることで、ヒータ基板２３の構成を簡略化できる。
【００４１】
また、本実施例のダンパ装置１においては、ヒータ基板２３はヒータ線７ａを係止する係止部としての溝１２３を有しており、溝１２３はヒータ基板２３の一部が外周側に向かって開口する溝である。そして、溝１２３は、ヒータ線７ａを保持するヒータ線保持部１２３ｂと、ヒータ線保持部１２３ｂまでヒータ線７ａを移動させることが可能なヒータ線移動経路１２３ａと、を有している。また、ヒータ線７ａは、ヒータ基板２３の一方側の面である面２３ｆから他方側の面である面２３ｅまで貫通した状態でヒータ線保持部１２３ｂにより保持されている。本実施例のダンパ装置１は、ヒータ線７ａをヒータ基板２３の一方側の面２３ｅから他方側の面２３ｆまで貫通した状態でヒータ線保持部１２３ｂにより保持していることで、ヒータ線７ａのヒータ基板２３に対する保持位置がずれることなどを抑制している。
【００４２】
なお、図１０で表されるように、スリット１２３ｃは、２つの孔部２３ａの間の位置まで方向Ｚにおいて延びている。別の表現をすると、図１０で表されるように、２本のヒータ線７ａは、溝１２３のヒータ線保持部１２３ｂにおいて方向Ｙに隣接して配置された位置から、スリット１２３ｃを挟んで方向Ｙに互いに離れた位置の孔部２３ａまで延びて、該孔部２３ａに接続しているので、面２３ｅ側から見るとハの字状になっている。
【００４３】
上記について、別の表現をすると、本実施例のダンパ装置１においては、ヒータ線７ａは、一方側の面２３ｆに沿って配線される配線領域Ｓ１（図７及び図９参照）を有し、ヒータ線７ａのヒータ基板２３に対する接続位置である孔部２３ａは、方向Ｘに沿う方向であるヒータ基板２３の厚さ方向から見た場合に、配線領域Ｓ１と重ならない位置となっている。本実施例のダンパ装置１は、このような構成となっていることで、ヒータ基板２３の一方側の面２３ｅに沿って配線されるヒータ線７ａの配線領域Ｓ１が、該ヒータ基板２３の一方側の面２３ｅ上に形成される導体の配線２３ｃなどと、干渉することを抑制している。
【００４４】
また、本実施例のダンパ装置１においては、ヒータ線７ａはヒータ基板２３に対して複数個所（２カ所）で接続しており、ヒータ基板２３はヒータ線７ａのヒータ基板２３に対する接続位置（孔部２３ａ）同士の間にスリット１２３ｃが形成されているので、該接続位置同士などが電気的に接続してしまうことを、スリット１２３ｃが形成されることで効果的に抑制している。
【００４５】
（保持部１９）  
上記のように、保持部１９には、ヒータ用コネクタ２０およびヒータ基板２３が保持されている。図７で表されるように、保持部１９にヒータ用コネクタ２０およびヒータ基板２３が保持されている状態では、ヒータ用コネクタ２０に接続されたヒータ基板２３と、ヒータ線係止部１９ｈが形成されたフレーム２の壁部２ａと、の間の領域（配線スペース２６）に、ヒータ線７ａが撓んだ状態で配置される。
【００４６】
別の表現をすると、本実施例のダンパ装置１においては、保持部１９は、ヒータ線７ａの保持部１９への入口である壁部２ａとヒータ用コネクタ２０との間の位置に、ヒータ線７ａを撓んだ状態で配置する配線スペース２６を有している。本実施例のダンパ装置１は、ヒータ線７ａを撓んだ状態で配置する配線スペース２６を有していることで、ヒータ線７ａの長さを長くできており、ヒータ用コネクタ２０を保持部１９に保持させる際などにおいて組み立て性を向上しているとともに、ヒータ用コネクタ２０が保持部１９に保持された後において該ヒータ線７ａが邪魔になることを抑制している。
【００４７】
また、ヒータ線７ａは、ヒータ用コネクタ２０に対して固定されたヒータ基板２３に設けられた溝１２３のヒータ線保持部１２３ｂ、配線スペース２６に形成されたリブ１９ｆに設けられたヒータ線係止部１９ｇ、保持部１９への入口である壁部２ａに設けられたヒータ線係止部１９ｈ、の３ヶ所でフレーム２に係止されている。すなわち、本実施例のダンパ装置１は、壁部２ａに、ヒータ線７ａを係止する第１係止部としてのヒータ線係止部１９ｈが設けられ、配線スペース２６に、ヒータ線７ａを係止する第２係止部としてのヒータ線係止部１９ｇが設けられ、ヒータ用コネクタ２０に対して固定される位置に、ヒータ線７ａを係止する第３係止部としての溝１２３（ヒータ線保持部１２３ｂ）が設けられている。本実施例のダンパ装置１は、このように、３つの係止部でヒータ線７ａを確りと係止し固定することで、ヒータ線７ａが引っ張られてヒータ７に負荷がかかることを効果的に抑制している。
【００４８】
ここで、ヒータ線係止部１９ｇは、配線スペース２６に設けられたリブ１９ｆの一部を切り欠いて構成されているので、本実施例のダンパ装置１においては、第２係止部を簡単に形成している。
【００４９】
また、上記のように、本実施例のダンパ装置１においては、保持部１９は開口領域１９ｄを有しており、ヒータ用コネクタ２０は開口領域１９ｄから挿入することで保持部１９に保持されるよう構成されている。そして、図７及び図１２で表されるように、ヒータ線係止部１９ｈは、開口領域１９ｄの開口方向に開口しているとともにヒータ線７ａを挟んで係止することが可能な挟持部となっている。ヒータ線係止部１９ｈをこのような構成としていることで、第１係止部を簡単に形成しているとともに、ヒータ用コネクタ２０を保持部１９に保持させることが容易となっている。
【００５０】
また、図７及び図１２で表されるように、本実施例のダンパ装置１においては、ヒータ用コネクタ２０は突起２０ａを有し、突起２０ａはフレーム２の受け部２７と当接して、ヒータ用コネクタ２０の保持部１９に対する位置決めをする構成となっている。このような構成とすることで、簡単な構成でヒータ用コネクタ２０を保持部１９に確りと固定できる。
【００５１】
ここで、突起２０ａは、ヒータ用コネクタ２０に対応するコネクタの挿し込み方向である方向Ｘに沿う方向に突出している。このような構成とすることで、ヒータ用コネクタ２０は突起２０ａによりコネクタの挿し込み方向にフレーム２に対して当接することとなるので、ヒータ用コネクタ２０に対応するコネクタを挿し込む際にヒータ用コネクタ２０がフレーム２に対して移動することを簡単な構成で抑制できる。
【００５２】
また、本実施例のダンパ装置１においては、保持部１９には突起２０ａと対向する位置に突起２０ａが当接される受け部２７を有するので、突起２０ａと受け部２７という簡単な構成でヒータ用コネクタ２０を保持部１９に確りと固定できる。
【００５３】
ここで、本実施例のダンパ装置１は、保持部１９にヒータ用コネクタ２０を保持させる際に、保持部１９に対してヒータ用コネクタ２０を突起２０ａの突出方向（方向Ｘに沿う方向）と交差する移動方向（方向Ｙに沿う方向）に移動させて保持させる構成であるが、図１２で表されるように、突起２０ａは突出方向の先端部２０ｃがテーパー形状となっており、受け部２７は保持部１９に対してヒータ用コネクタ２０を移動方向に移動させる際に先端部２０ｃが接触する接触領域２７ａに、先端部２０ｃと接触して先端部２０ｃの移動をガイドする斜面２７ｂが形成されている。このような構成となっていることで、本実施例のダンパ装置１は、ヒータ用コネクタ２０を保持部１９に保持させる際、突起２０ａと受け部２７とが引っ掛かることなく容易に所望の保持位置まで、ヒータ用コネクタ２０を保持部１９に対して移動させることができる。
【００５４】
本発明は、上述の実施例に限られるものではなく、その趣旨を逸脱しない範囲において種々の構成で実現することができる。例えば、発明の概要の欄に記載した各形態中の技術的特徴に対応する実施例中の技術的特徴は、上述の課題の一部又は全部を解決するために、あるいは、上述の効果の一部又は全部を達成するために、適宜、差し替えや、組み合わせを行うことが可能である。  
また、その技術的特徴が本明細書中に必須なものとして説明されていなければ、適宜、削除することが可能である。
【符号の説明】
【００５５】
１…ダンパ装置、２…フレーム、２ａ…壁部、３…バッフル、３ａ…回動軸、
７…ヒータ、７ａ…ヒータ線、１０…駆動部、１１…係合部、１２…ケース、
１３…ステッピングモータ（駆動源）、１３ａ…モータピニオン、１４…輪列、
１５…１番車、１６…２番車、１７…駆動歯車、１８…扇形歯車、１９…保持部、
１９ａ…壁部、１９ｂ…壁部、１９ｃ…壁部、１９ｄ…開口領域、
１９ｅ…基板収容スペース、１９ｆ…リブ、１９ｇ…ヒータ線係止部（第２係止部）、
１９ｈ…ヒータ線係止部（第１係止部、挟持部）、２０…ヒータ用コネクタ、
２０ａ…突起、２０ｂ…接続部、２０ｃ…先端部、２１…駆動用コネクタ接触部、
２１ａ…壁部、２１ｂ…壁部、２１ｃ…壁部、２２…駆動用コネクタ、２２ａ…面、
２２ｂ…面、２２ｃ…面、２３…ヒータ基板、２３ａ…孔部、２３ｂ…孔部、
２３ｃ…配線、２３ｅ…面、２３ｆ…面、２４…空間部、２６…配線スペース、
２７…受け部、２７ａ…接触領域、２７ｂ…斜面、３０…ヒータ用コネクタユニット、
１０１…冷蔵庫、１０２…冷蔵室、１０３…冷凍室、１０４…野菜室、
１０５…冷却器、１０６…ダンパ装置、１０７…ダンパ装置、１０８…ダンパ装置、
１０９…ダンパ装置、１２３…溝（係止部、第３係止部）、
１２３ａ…ヒータ線移動経路、１２３ｂ…ヒータ線保持部（第３係止部）、
１２３ｃ…スリット、ＡＦ…気流、Ｏ…開口部、Ｓ１…配線領域
【図１】
2020193745.tif 000003
【図２】
2020193745.tif 000004
【図３】
2020193745.tif 000005
【図４】
2020193745.tif 000006
【図５】
2020193745.tif 000007
【図６】
2020193745.tif 000008
【図７】
2020193745.tif 000009
【図８】
2020193745.tif 000010
【図９】
2020193745.tif 000011
【図１０】
2020193745.tif 000012
【図１１】
2020193745.tif 000013
【図１２】
2020193745.tif 000014